(57)【要約】【課題】簡単な方法でアナモフィックレンズの円筒表面又はトーリック面の母線の方向を高精度に観測することができるようにして、高精度のアナモフィック光学系を得る。【解決手段】光が透過する円筒表面１１を有するシリンドリカルレンズ１０−１〜１０−ｎにおいて、円筒表面１１の母線１１ａに平行な平面１２−１〜１２−ｎをシリンドリカルレンズ１０−１〜１０−ｎに形成し、この平面１２に鏡面加工を施した。また、シリンドリカルレンズ１０−１〜１０−ｎが組み込まれる鏡筒５０に鏡面加工をした平面１２に対向可能な覗き孔５１を設けた。【選択図】　　　　図３
2004045701.tif 000002
【特許請求の範囲】
【請求項１】
光が透過する円筒表面又はトーリック面を有するアナモフィックレンズにおいて、
前記円筒表面又はトーリック面の母線に平行又は直角な平坦な鏡面が外周に設けられていることを特徴とするアナモフィックレンズ。
【請求項２】
前記請求項１記載のアナモフィックレンズの前記鏡面に対向可能な覗き孔を備えていることを特徴とする鏡筒。
【発明の詳細な説明】
【０００１】
【発明の属する技術分野】
この発明はアナモフィックレンズ及びアナモフィックレンズを備える鏡筒に関する。
【０００２】
【従来の技術】
アナモフィック光学系では複数のアナモフィックレンズ（シリンドリカルレンズやトーリックレンズ）を鏡筒に組み込むとき、十分な光学性能を得るために全てのアナモフィックレンズの母線の方向を一致させる必要がある。
【０００３】
例えば複数のシリンドリカルレンズを用いたアナモフィック光学系の組立では、光軸に沿って光線を入射させ、射出された光線によって作られた像の変形状態を観察しながら、それぞれのシリンドリカルレンズの円筒面の母線方向が一致するようにレンズの位置を調整していた。
【０００４】
【発明が解決しようとする課題】
しかし、この調整は目視によって行われるため、複数のシリンドリカルレンズの円筒表面の母線方向を正確に一致させることが困難であった。
【０００５】
そのため、高精度のアナモフィック光学系を組み立てることは難しかった。
【０００６】
この発明はこのような事情に鑑みてなされたもので、その課題は簡単な方法でアナモフィックレンズの円筒表面又はトーリック面の母線の方向を高精度に観測することができるようにして、高精度のアナモフィック光学系を得ることである。
【０００７】
【課題を解決するための手段】
上記課題を解決するために請求項１記載の発明は、光が透過する円筒表面又はトーリック面を有するアナモフィックレンズにおいて、前記円筒表面又はトーリック面の母線に平行又は直角な平坦な鏡面が外周に設けられていることを特徴とする。
【０００８】
請求項２記載の発明の鏡筒は、前記請求項１記載のアナモフィックレンズの前記鏡面に対向可能な覗き孔を備えていることを特徴とする。
【０００９】
【発明の実施の形態】
以下、この発明の実施の形態を図面に基づいて説明する。
【００１０】
図１（ａ）はこの発明の第１実施形態に係るシリンドリカルレンズの平面図、図１（ｂ）は図１（ａ）の１ｂ矢視図、図１（ｃ）は図１（ａ）の１ｃ矢視図である。
【００１１】
シリンドリカルレンズ１０の平面形状は円形である。
【００１２】
このシリンドリカルレンズ１０の一方の面は円筒表面であり、他方の面は平面である。
【００１３】
シリンドリカルレンズ１０の円筒表面１１の外周縁は所定幅に亘って砥石（図示せず）によって研削されている。
【００１４】
また、シリンドリカルレンズ１０の外周には円筒表面１１の母線１１ａにほぼ平行な平面１２が形成されている。この平面１２には鏡面加工が施されている。
【００１５】
この平面１２は、後述する鏡筒５０に組み込まれた複数のシリンドリカルレンズ１０の円筒表面１１の母線１１ａの方向が一致するようにシリンドリカルレンズ１０の位置を後述するオートコリメータ６０で調整するときの基準となる。
【００１６】
この第１実施形態によれば、シリンドリカルレンズ１０の外周に母線１１ａと平行な鏡面加工された平面１２を設けたので、簡単な方法で母線１１ａの方向を高精度に観測することができる。
【００１７】
なお、上記実施形態では平面１２をシリンドリカルレンズ１０の母線１１ａと平行にしたが、この構成に限るものではなく、平面１２をシリンドリカルレンズ１０の母線１１ａと直角としてもよい。
【００１８】
また、図示しないがトーリックレンズにおいても、トーリック面の母線に平行又は直角な平坦な鏡面を外周に設けることによってシリンドリカルレンズと同様の効果を奏する。
【００１９】
図２（ａ）はこの発明の第２実施形態に係るシリンドリカルレンズの平面図、図２（ｂ）は図２（ａ）の２ｂ矢視図、図２（ｃ）は図２（ａ）の２ｃ矢視図であり、第１実施形態と共通する部分には同一符号を付してその説明を省略する。
【００２０】
この実施形態のシリンドリカルレンズ２０は円筒表面１１の母線１１ａにほぼ平行に研削された平面１２に鏡面加工を施すのではなく、平面１２に鏡面加工をした平板１３を貼り付けた点で第１実施形態と相違する。
【００２１】
この鏡面加工をした平板１３は、鏡筒に組み込まれた、複数のシリンドリカルレンズ２０の円筒表面１１の母線１１ａの方向が一致するようにシリンドリカルレンズ２０の位置をオートコリメータで調整するときの基準となる。
【００２２】
この第２実施形態によれば、第１実施形態と同様の効果を奏するとともに、シリンドリカルレンズの外周を研磨することが困難なときやできないときに有効である。
【００２３】
図３（ａ）は図１のシリンドリカルレンズを組み込んだ状態を説明する鏡筒の断面図、図３（ｂ）は図３（ａ）の３ｂ−３ｂ線に沿う断面図、図４（ａ）は複数のシリンドリカルレンズの円筒面の母線方向が一致したアナモフィック光学系を示す図、図４（ｂ）は図４（ａ）のＡ矢視図である。
【００２４】
シリンドリカルレンズ１０−１〜１０−ｎが組み込まれる鏡筒５０には外部からオートコリメータ６０で平面１２を観測するため、シリンドリカルレンズ１０−１〜１０−ｎの平面１２と対向可能な複数の覗き孔５１が形成されている。
【００２５】
次に、複数のシリンドリカルレンズ１０−１〜１０−ｎの母線１１ａの方向を一致させる手順を説明する。
【００２６】
なお、オートコリメータ６０は定盤（図示せず）に固着され、鏡筒５０は回り止めによって回転を阻止された状態で、オートコリメータ６０の光軸と直交する、鏡筒５０の光軸方向へ移動できるように定盤上に載置されている。覗き孔５１はオートコリメータ６０と対向可能な方向へ開口している。
【００２７】
まず、シリンドリカルレンズ１０−１を鏡筒５０に組み込む（図３（ａ）参照）。
【００２８】
このとき、鏡筒５０の覗き孔５１を通してシリンドリカルレンズ１０−１の平面１２−１を外部から観測できる位置にシリンドリカルレンズ１０−１を回転させる。
【００２９】
この作業を他のシリンドリカルレンズ１０−２〜１０−ｎに対しても同様に行う。
【００３０】
次に、図３（ａ）の実線で示されたオートコリメータ６０の位置Ｐ１に鏡筒５０を移動する。
【００３１】
その後、オートコリメータ６０によってシリンドリカルレンズ１０−１の平面１２−１に覗き孔５１を通して光源（図示せず）から光線を照射し、反射光を観測して平面１２−１の傾きを測定する。この傾きの状態を基準となる角度「０」とする。
【００３２】
このとき、シリンドリカルレンズ１０−１を例えば接着剤（図示せず）によって鏡筒５０に固定する。
【００３３】
次に、上記状態から、覗き孔５１を通してシリンドリカルレンズ１０−２の平面１２−２をオートコリメータ６０で観測できる位置Ｐ２に鏡筒５０を移動させる。
【００３４】
その後、シリンドリカルレンズ１０−２の平面１２−２に覗き孔５１を通して光源から光線を照射し、反射光を観測して平面１２−２の傾きを測定する。
【００３５】
シリンドリカルレンズ１０−２の平面１２−２の傾きがシリンドリカルレンズ１０−１の平面１２−１の傾きと同じ角度「０」になるようにシリンドリカルレンズ１０−２を回転させる。
【００３６】
このとき、シリンドリカルレンズ１０−２を例えば接着剤によって鏡筒５０に固定する。
【００３７】
その結果、シリンドリカルレンズ１０−１の母線１１ａの方向とシリンドリカルレンズ１０−２の母線１１ａの方向とが一致する。
【００３８】
同様にして、上記作業を他のシリンドリカルレンズ１０−３〜１０−ｎに対しても行う。
【００３９】
その結果、総てのシリンドリカルレンズ１０−１〜１０−ｎの母線１１ａの方向が一致する（図４参照）。
【００４０】
この実施形態の鏡筒５０によれば、容易かつ正確にシリンドリカルレンズ１０−１〜１０−ｎの母線１１ａの方向を一致させて高精度のアナモフィック光学系を得ることができる。
【００４１】
なお、上記実施形態の鏡筒５０では第１実施形態の構成のシリンドリカルレンズを用いたが、第２実施形態の構成のシリンドリカルレンズを用いても同様の効果を奏する。
【００４２】
また、上記実施形態では鏡筒５０を移動させたが、オートコリメータ６０を移動させるようにしてもよい。
【００４３】
更に、シリンドリカルレンズ１０−１〜１０−ｎを直接鏡筒５０に組み込む代わりに、図示しないレンズホルダに固定したシリンドリカルレンズ１０−１〜１０−ｎを鏡筒５０に組み込むようにしてもよい。このレンズホルダにはシリンドリカルレンズ１０−１〜１０−ｎの平面１２−１〜１２−ｎを外部から観測できるように孔が形成される。
【００４４】
また、鏡筒５０に組み込んだシリンドリカルレンズ１０−１〜１０−ｎの調整が完了した後、孔を化粧環等で塞いでもよい。このようにすれば、鏡筒５０の外観をすっきりとしたものとすることができる。
【００４５】
更に、上記実施形態ではシリンドリカルレンズを用いたが、トーリックレンズを用いても同様の効果を奏する。
【００４６】
【発明の効果】
以上に説明したようにこの発明によれば、簡単な方法でアナモフィックレンズの円筒表面又はトーリック面の母線の方向を高精度に観測することができ、高精度のアナモフィック光学系を得ることができる。
【図面の簡単な説明】
【図１】図１（ａ）はこの発明の第１実施形態に係るシリンドリカルレンズの平面図、図１（ｂ）は図１（ａ）の１ｂ矢視図、図１（ｃ）は図１（ａ）の１ｃ矢視図である。
【図２】図２（ａ）はこの発明の第２実施形態に係るシリンドリカルレンズの平面図、図２（ｂ）は図２（ａ）の２ｂ矢視図、図２（ｃ）は図２（ａ）の２ｃ矢視図である。
【図３】図３（ａ）は図１のシリンドリカルレンズを組み込んだ状態を説明する鏡筒の断面図、図３（ｂ）は図３（ａ）の３ｂ−３ｂ線に沿う断面図である。
【図４】図４（ａ）は複数のシリンドリカルレンズの円筒面の母線方向が一致したアナモフィック光学系を示す図、図４（ｂ）は図４（ａ）のＡ矢視図である。
【符号の説明】
１０，１０−１〜１０−ｎ，２０　シリンドリカルレンズ
１１ａ　母線
１２　平面
【図１】
2004045701.tif 000003
【図２】
2004045701.tif 000004
【図３】
2004045701.tif 000005
【図４】
2004045701.tif 000006